(57)【要約】      （修正有）【課題】ＬＡＮ回線の救済ができ、さらには、データ輻輳時のデータ廃棄を抑制できるパケット通信装置を提供する。【解決手段】各回線パッケージは、複数のＬＡＮ回線収容ポートを有するＬ２スイッチと、Ｌ２スイッチの各ポート相互接続を制御する設定部と、或いは上りデータ輻輳情報の出力、或いは一次分離データの障害検出部とを備え、更にＬ２スイッチの空きポート等を用いて迂回用ポートとして回線パッケージ同士を接続する。制御パッケージは、一次多重化データの断状態、或いは上りデータ輻輳状態、或いは下りデータ輻輳状態を検出する障害検出部と、障害検出部がそれらの障害を検出した時、設定部を設定変更し、或いは設定変更と共に該回送テーブルを該障害時の宛先に切り替えて、該障害の無い回線パッケージに迂回させるか、或いは迂回されて来た下りデータを対応するＬＡＮ回線に送出させる通信部とを備える。【選択図】      図１
2006186924.tif 000002
【特許請求の範囲】
【請求項１】
各々が複数の上りＬＡＮ回線を収容すると共に、該上りＬＡＮ回線のデータを一次多重化して出力する２つの回線パッケージと、
各回線パッケージの該一次多重化データを更に二次多重化して上り上位回線に送信する多重／分離部を有する制御パッケージとを備え、
各回線パッケージが、該上りＬＡＮ回線の入力ポート及び該一次多重化データの出力ポートに加えて迂回用ポートを有するＬ２スイッチ、及び該Ｌ２スイッチの各ポート相互接続の切替を制御する設定部を備え、各迂回用ポート同士が接続されており、
該制御パッケージが、各一次多重化データの断状態を各々検出する２つの障害検出部と、一方の障害検出部が該一次多重化データの断状態を検出した時、対応する回線パッケージの設定部を設定変更して該入力ポートを該出力ポートから該迂回用ポートに接続切替することにより、該データを該障害に対応した回線パッケージの迂回用ポートから出力して該障害の無い回線パッケージの迂回用ポートに迂回させる通信部とを備えたことを特徴としたパケット通信装置。
【請求項２】
下り上位回線のデータを、正常時と障害時の宛先を予め記憶している回送テーブルによって指定された２つの方路に一次分離する多重／分離部を有する制御パッケージと、
該一次分離データをそれぞれ更に二次分離データに分離して複数の下りＬＡＮ回線に送信する２つの回線パッケージとを備え、
各回線パッケージが、該一次分離データの断状態を検出する障害検出部と、該一次分離データの入力ポート及び該下りＬＡＮ回線の出力ポートに加えて迂回用ポートを有するＬ２スイッチと、該Ｌ２スイッチの各ポート相互接続の切替を制御する設定部とを備え、各迂回用ポート同士が接続されており、一方の障害検出部が、その一次分離データの断状態を検出した時、対応する該設定部を設定変更して該出力ポートを該入力ポートから該迂回用ポートに接続切替すると共に、
該制御パッケージは、該設定部が設定変更した時、該回送テーブルを該障害時の宛先に切り替えて該一次分離データを該障害の無い回線パッケージに迂回させる通信部をさらに備え、
該障害の無い回線パッケージのＬ２スイッチが、該設定部の設定に基づき、該迂回されて来た一次分離データを該迂回用ポートから出力して該障害に対応した回線パッケージの迂回用ポートに迂回させることを特徴としたパケット通信装置。
【請求項３】
各々が、優先順位のクラス付けされた複数の上りＬＡＮ回線を収容すると共に、該上りＬＡＮ回線のデータを一次多重化して出力する２つの回線パッケージと、
各回線パッケージの該一次多重化データを更に二次多重化して上り上位回線に送信する多重／分離部を有する制御パッケージとを備え、
各回線パッケージが、該上りＬＡＮ回線の高優先入力ポートと低優先入力ポートと該一次多重化データの出力ポートと迂回用ポートとを有すると共にデータトラフィック情報を出力するＬ２スイッチ、及び該Ｌ２スイッチの各ポート相互接続の切替を制御する設定部を備え、各迂回用ポート同士が接続されており、
該制御パッケージが、各データトラフィック情報から各々のデータ輻輳の障害状態を検出する２つの障害検出部と、一方の障害検出部が、対応するＬ２スイッチの該障害状態を検出した時、対応する該設定部を設定変更して該低優先入力ポートを該出力ポートから該迂回用ポートに接続切替することにより、該低優先回線の上りデータを、該迂回用ポートから出力して該障害の無い回線パッケージの迂回用ポートに迂回させる通信部とを備えたことを特徴としたパケット通信装置。
【請求項４】
下り上位回線のデータを、正常時と障害時の宛先を予め記憶している回送テーブルによって指定された２つの方路に一次分離する多重／分離部と、各方路の該一次分離データを各々がバッファリングして送出する２つの障害検出部を有する制御パッケージと、
各一次分離データをそれぞれ更に二次分離データに分離して、優先順位のクラス付けされた複数の下りＬＡＮ回線に送信する２つの回線パッケージとを備え、
各回線パッケージが、該下りＬＡＮ回線の高優先出力ポートと低優先出力ポートと該一次分離データの入力ポートと迂回用ポートとを有するＬ２スイッチ、及び該Ｌ２スイッチの各ポート相互接続の切替を制御する設定部を備え、各迂回用ポート同士が接続されており、
該制御パッケージが、一方の障害検出部で該バッファリングのオーバーフローによるデータ輻輳の障害状態を検出した時、対応する該設定部を設定変更して該低優先出力ポートを該入力ポートから該迂回用ポートに接続切替えすると共に、該回送テーブルを該障害時の宛先に切り替えて該一次分離データを該障害の無い回線パッケージに迂回させる通信部をさらに備え、
該障害の無い回線パッケージのＬ２スイッチが、該設定部の設定に基づき、該迂回されて来た一次分離データを該迂回用ポートから出力して該障害に対応した回線パッケージの迂回用ポートに迂回させることを特徴としたパケット通信装置。
【請求項５】
請求項１又は３において、
該障害の無い回線パッケージのＬ２スイッチは、該設定部の設定に基づき、該迂回用ポートから入力されて来た上りデータを、該回線パッケージの上りＬＡＮ回線の入力ポートへの該上りデータと一緒に、該一次多重化して該制御パッケージに出力することを特徴としたパケット通信装置。
【発明の詳細な説明】
【技術分野】
【０００１】
本発明は、パケット通信装置に関し、特に複数のＬＡＮ回線からの上りデータを上位回線に多重化し、あるいは上位回線からの下りデータをＬＡＮ回線に分離するパケット通信装置に関するものである。
【背景技術】
【０００２】
パケット通信装置は、複数のＬＡＮ回線からの上りデータを回線パッケージで一次多重化して制御パッケージに転送し、制御パッケージでは、さらに、各回線パッケージからの一次多重化データを二次多重化して上位回線に送信し、上位回線からの下りデータについては、その逆処理を行って各々のＬＡＮ回線に送信するものとして従来から知られていた。
【０００３】
一方、入力ポートNi本、出力ポートNo本のパケット交換装置において、パケットスイッチ部内に、任意の出力ポートをルーティング情報として持つパケットを多重し、さらに任意の出力ポートへフォワードする冗長出力ポート部と、各出力ポート内にセレクタを持ち、出力ポートと冗長出力ポートのいずれかを選択するしくみを持つことによって、任意の出力ポートで障害または輻輳が検出された場合でも冗長出力ポート部内のバッファ部に障害または輻輳が検出された出力ポート行きのトラフィックを制御部の指示により転送することによってパケット交換装置のスイッチ面のN+M重化と輻輳によるパケット廃棄の回避を実現するパケット交換装置がある（例えば、特許文献１参照。）。
【０００４】
さらには、装置は入力データからＳＤＨ伝送フレームを抽出して固定長のセルデータと接続識別子とルーチングタグを出力する入力ポート駆動部とセルストリームからルーチングタグを引き離してチャネル識別子に変換した後、隣接ノードへ伝送する出力ポート駆動部からなる回線インタフェース部、発生頻度が高い入力ポート駆動部に対応する記憶セルを優先的に読み出して出力するスイッチ出力多重化部、クロック信号を分配するシステムクロック分配部、システム初期化を制御する初期化制御部、網管理用セルに応じてスイッチメンテナンス制御をするスイッチメンテナンス制御部、入力セルが信号用セル時に前処理セルのメッセージ分析により接続情報を出力するスイッチ呼処理制御部、および障害時に正常なボードに切替えるスイッチモジュール制御部を有する完全相互接続型非同期転送モード交換装置がある（例えば、特許文献２参照。）。
【０００５】
【特許文献１】特開2000-49860号公報
【特許文献２】特開平9-181742号公報
【発明の開示】
【発明が解決しようとする課題】
【０００６】
このように多重化されている回線パッケージで障害が発生してデータが断状態になると、回線パッケージに収容された全てのＬＡＮ回線が使用不可状態になるため、瞬時にＬＡＮ回線の救済が必要となる。
【０００７】
その救済方法として、従来は、現用回線パッケージに加えて予備回線パッケージを設けると共に両回線パッケージを切り替える切替回路（例えば、リレー）を必要としていた。
【０００８】
また、回線パッケージは、優先順位のクラス付けされた複数のＬＡＮ回線を収容して各ＬＡＮ回線のデータを多重化しており、データ輻輳時は低優先のＬＡＮ回線のデータが犠牲になって廃棄されるようになっていた。
【０００９】
そのデータ廃棄の抑制方法として、従来は、大容量のバッファを用意したり、収容ポート数の少ない回線パッケージを使用していた。
【００１０】
従って本発明は、障害に係るＬＡＮ回線を救済するために予備回線パッケージや切替回路を用いずに、瞬時にＬＡＮ回線の救済ができ、さらには、大容量のバッファを備えたり、回線パッケージの収容ポート数を減らしたりせずに、データ輻輳時のデータ廃棄を抑制できるパケット通信装置を提供することを課題とする。
【課題を解決するための手段】
【００１１】
上記の課題を解決するため、本発明（１）に係るパケット通信装置は、各々が複数の上りＬＡＮ回線を収容すると共に、該上りＬＡＮ回線のデータを一次多重化して出力する２つの回線パッケージと、各回線パッケージの該一次多重化データを更に二次多重化して上り上位回線に送信する多重／分離部を有する制御パッケージとを備え、各回線パッケージが、該上りＬＡＮ回線の入力ポート及び該一次多重化データの出力ポートに加えて迂回用ポートを有するＬ２スイッチ、及び該Ｌ２スイッチの各ポート相互接続の切替を制御する設定部を備え、各迂回用ポート同士が接続されており、該制御パッケージが、各一次多重化データの断状態を各々検出する２つの障害検出部と、一方の障害検出部が該一次多重化データの断状態を検出した時、対応する回線パッケージの設定部を設定変更して該入力ポートを該出力ポートから該迂回用ポートに接続を切り替えて、該データを該障害に対応した回線パッケージの迂回用ポートから出力して該障害の無い回線パッケージの迂回用ポートに迂回させる通信部とを備えたことを特徴としている。
【００１２】
ここで、本発明（１）の原理（上りデータの救済）を図１を参照して以下に説明する。
【００１３】
まず、構成に関しては、複数の上りＬＡＮ回線１ｕ_1、１ｕ_2（以下、符号「１ｕ」で総称することがある。）は、それぞれ回線パッケージ２_1、２_2（以下、符号「２」で総称することがある。）のＬ２スイッチ１０ｕ_１、１０ｕ_２（以下、符号「１０ｕ」で総称することがある。）の入力ポート７ｕ_1、７ｕ_2（以下、符号「７ｕ」で総称することがある。）に接続されている。各Ｌ２スイッチ１０ｕの出力ポート８ｕ_1、８ｕ_2（以下、符号「８ｕ」で総称することがある。）は、それぞれ出力データ（一次多重化データ）３_1、３_2を、バックワイヤリングボード（ＢＷＢ）２０などの伝送路を経由して制御パッケージ６に送る。制御パッケージ６においては、一次多重化データ３_1、３_2は、多重／分離部５及び障害検出部１２_1、１２_2（以下、符号「１２」で総称することがある。）に送られる。
【００１４】
また、多重／分離部５の出力端子は、上り上位回線４ｕに接続されている。２つの障害検出部１２の各出力端子は、通信部１３の入力端子にそれぞれ接続され、通信部１３の２つの出力端子は、各回線パッケージ２の設定部１１_1、１１_2（以下、符号「１１」で総称することがある。）の入力端子にそれぞれ接続され、さらに各設定部１１の出力端子は各Ｌ２スイッチ１０ｕにそれぞれ接続されている。
【００１５】
また、Ｌ２スイッチ１０ｕ_1、１０ｕ_2はそれぞれ迂回用ポート９_1、９_2（以下、符号「９」で総称することがある。）を備えており、迂回用ポート９_1、９_2同士は接続されている。
【００１６】
上記の構成において、正常状態では、Ｌ２スイッチ１０ｕの各ポート間の相互接続を制御する各設定部１１は、各入力ポート７ｕのＬＡＮ回線データを各出力ポート８ｕに出力するように各Ｌ２スイッチ１０ｕを設定している。従って、Ｌ２スイッチ１０ｕは、その入力ポート７ｕで受信した各上りＬＡＮ回線１ｕのデータを、設定部１１の設定情報に基づいて一次多重化して出力ポート８ｕから出力する。その一次多重化データ３_1、３_2は、例えばバックワイヤリングボ-ド（ＢＷＢ）２０で構成された伝送路を介して制御パッケージ６の多重／分離部５に転送され、さらに二次多重化されて上り上位回線４ｕへ出力される。
【００１７】
ここで、何らかの障害により回線パッケージ２_１の一次多重化データ３_1が断状態になると（図中×印で示す。）、制御パッケージ６の障害検出部１２_1がその断状態を検出して通信部１３に通知し、通信部１３は回線パッケージ２_１の設定部１１_1に対して設定情報の変更を行う。これにより、Ｌ２スイッチ１０ｕ_1は、設定部１１_1の設定変更に従って入力ポート７ｕ_1で受信したデータを、出力ポート８ｕ_1から迂回用ポート９_１に出力するように切り替えるので、上りＬＡＮ回線１ｕ_1のデータは、迂回ルート１８ｕを介して回線パッケージ２_2の迂回用ポート９_2へ迂回することになる。
【００１８】
迂回用ポート９_１から迂回用ポート９_2に迂回して来たデータは、Ｌ２スイッチ１０ｕ_2の入力ポート７ｕ_2への上りＬＡＮ回線１ｕ_2のデータと一緒に一次多重化されて出力ポート８ｕ_2から制御パッケージ６の多重／分離部５に転送され、その多重／分離部５は、さらに二次多重化して上り上位回線４ｕに送出する。
【００１９】
従って、回線パッケージ２_1の一次多重化データ３_1が断状態になった場合には、迂回用ポート９を介して回線パッケージ２_2が救済パッケージとなるので、予備回線パッケージを用いずに上りＬＡＮ回線１ｕ_1のデータを救済することができる。
【００２０】
また、回線パッケージ２_2の一次多重化データ３_2が断状態になった場合でも、同様にして回線パッケージ２_１が救済パッケージとなるので、この場合も予備回線パッケージを用いずに上りＬＡＮ回線１ｕ_2のデータを救済することができる。
【００２１】
また、上記のように、互いに接続された迂回用ポート９は双方向に機能するので、その迂回用ポート９で接続された各回線パッケージ２は、従来の予備回線パッケージのように、固定した１つの回線パッケージのみを救済するのではなく、相互救済が可能である。
【００２２】
また、各回線パッケージ２のＬ２スイッチ１０ｕは、設定部１１の設定に基づき、迂回用ポート９から入力されて来た上りデータを、上りＬＡＮ回線１ｕの入力ポート７ｕへの上りデータと一緒に、該一次多重化して制御パッケージ６に出力することができる。
【００２３】
また、上記の課題を解決するため、本発明（２）に係るパケット通信装置は、下り上位回線のデータを、正常時と障害時の宛先を予め記憶している回送テーブルによって指定された２つの方路に一次分離する多重／分離部を有する制御パッケージと、該一次分離データをそれぞれ更に二次分離データに分離して複数の下りＬＡＮ回線に送信する２つの回線パッケージとを備え、各回線パッケージが、該一次分離データの断状態を検出する障害検出部と、該一次分離データの入力ポート及び該下りＬＡＮ回線の出力ポートに加えて迂回用ポートを有するＬ２スイッチと、該Ｌ２スイッチの各ポート相互接続の切替を制御する設定部とを備え、各迂回用ポート同士が接続されており、一方の障害検出部が、その一次分離データの断状態を検出した時、対応する該設定部を設定変更して該出力ポートを該入力ポートから該迂回用ポートに接続切替すると共に、該制御パッケージは、該設定部が設定変更した時、該回送テーブルを該障害時の宛先に切り替えて該一次分離データを該障害の無い回線パッケージに迂回させる通信部をさらに備え、該障害の無い回線パッケージのＬ２スイッチが、該設定部の設定に基づき、該迂回されて来た一次分離データを該迂回用ポートから出力して該障害に対応した回線パッケージの迂回用ポートに迂回させることを特徴としている。
【００２４】
ここで、本発明（２）の原理（下りデータの救済）を図２を参照して以下に説明する。
【００２５】
まず、構成に関しては、下り上位回線４ｄからのデータは、制御パッケージ６の多重／分離部５で受信され、多重／分離部５は、一次分離データ１５_1、１５_2を、バックワイヤリングボード（ＢＷＢ）２０などの伝送路を経由して各回線パッケージ２のＬ２スイッチ１０ｄ_1、１０ｄ_2（以下、符号「１０ｄ」で総称することがある。）と障害検出部１６_1、１６_2（以下、符号「１６」で総称することがある。）に送る。また、多重／分離部５は回送テーブル１４を備えており、この回送テーブル１４の入力端子は通信部１３の出力端子と接続されている。
【００２６】
各回線パッケージ２の各障害検出部１６の出力端子は、設定部１１の入力端子に接続され、その設定部１１の入出力端子は制御パッケージの通信部１３の２つの入出力端子と接続されており、他方の出力端子はＬ２スイッチ１０ｄに接続されている。そのＬ２スイッチ１０ｄの出力ポート７ｄ_1、７ｄ_2（以下、符号「７ｄ」で総称することがある。）は、下りＬＡＮ回線１ｄ_1、１ｄ_2（以下、符号「１ｄ」で総称することがある。）に接続されている。
【００２７】
また、各Ｌ２スイッチ１０ｄの迂回用ポート９_1、９_2同士が迂回ルート１８ｄで接続されている。
【００２８】
上記の構成において、制御パッケージ６の回送テーブル１４は、下り上位回線４ｄのデータの宛先を示すもので、予め正常時と障害時の２つの宛先を記憶しており、正常状態では、通信部１３によって正常時の宛先側に切り替えられている。
【００２９】
また、回線パッケージ２のＬ２スイッチ１０ｄの各ポート間の相互接続を制御する各設定部１１は、正常状態では、各出力ポート７ｄが、各入力ポート８ｄからのデータを出力するように各Ｌ２スイッチ１０ｄの設定情報を設定している。
【００３０】
従って、多重／分離部５は、下り上位回線４ｄのデータを回送テーブル１４が示す宛先に対応した２つの回線パッケージ２に一次分離して転送し、これを受信した各回線パッケージ２では、Ｌ２スイッチ１０ｄが、設定部１１の設定情報に基づいてその一次分離データ１５_1、１５_2をさらに二次分離して各出力ポート７ｄから各下りＬＡＮ回線１ｄに送出する。
【００３１】
ここで、何らかの原因により一次分離データ１５_1が断たれると（図中×印で示す。）、回線パッケージ２_１の障害検出部１６_1は、その断状態を検出して設定部１１_1に通知する。設定部１１_1は、Ｌ２スイッチ１０ｄ_1に対し、出力ポート７ｄ_1が、入力ポート８ｄ_1からのデータではなく、迂回用ポート９_1から入力されたデータを出力するように設定変更すると共に、制御パッケージ６の通信部１３にその切替えを行ったことを通知する。
【００３２】
通信部１３は、その通知を受けると回送テーブル１４の宛先を正常時から障害時の宛先に切替えると共に、回線パッケージ２_2の設定部１１_2に対しても設定変更の指示を出す。
【００３３】
多重／分離部５は、その障害時の宛先に対応した回線パッケージ2_2に向けて一次分離データ１５_1を迂回転送する。設定部１１_2は、その設定変更をＬ２スイッチ１０ｄ_2に対して行い、Ｌ２スイッチ１０ｄ_2は、入力ポート８ｄ_2に一次分離データ１５_2として迂回されて来た一次分離データ１５_1をさらに二次分離して迂回用ポート９_2に出力する。
【００３４】
迂回用ポート９_2から出力された二次分離データは、迂回ルート１８ｄを介して回線パッケージ２_1の迂回用ポート９_1に迂回し、回線パッケージ２_1へ既に設定変更されているＬ２スイッチ１０ｄ_1によって下りＬＡＮ回線１ｄ_1に送出される。
【００３５】
従って、回線パッケージ２_1の一次分離データ１５_1が断状態になった場合には、迂回用ポート９_1を介して回線パッケージ２_2が救済パッケージとなるので、予備回線パッケージを用いずに下りＬＡＮ回線１ｄ_1のデータを救済することができる。
【００３６】
また、回線パッケージ２_2の一次分離データ１５_2が断状態になった場合でも、同様にして回線パッケージ２_１が救済パッケージとなるので、この場合も予備回線パッケージを用いずに下りＬＡＮ回線１ｄ_2のデータを救済することができる。
【００３７】
また、上記のように、互いに接続された迂回用ポート９は双方向に機能するので、その迂回用ポート９で接続された各回線パッケージ２は、従来の予備回線パッケージのように、固定した１つの回線パッケージのみを救済するのではなく、相互救済が可能である。
【００３８】
また、各回線パッケージ２のＬ２スイッチ１０ｄは、設定部１１の設定に基づき、該迂回されて来た一次分離データを、下りＬＡＮ回線１ｄ向けデータと迂回データとに二次分離して該迂回データを迂回用ポート９に出力することができる。
【００３９】
また、上記の課題を解決するため、本発明（３）に係るパケット通信装置は、各々が、優先順位のクラス付けされた複数の上りＬＡＮ回線を収容すると共に、該上りＬＡＮ回線のデータを一次多重化して出力する２つの回線パッケージと、各回線パッケージの該一次多重化データを更に二次多重化して上り上位回線に送信する多重／分離部を有する制御パッケージとを備え、各回線パッケージが、該上りＬＡＮ回線の高優先入力ポートと低優先入力ポートと該一次多重化データの出力ポートと迂回用ポートとを有すると共にデータトラフィック情報を出力するＬ２スイッチ、及び該Ｌ２スイッチの各ポート相互接続の切替を制御する設定部を備え、各迂回用ポート同士が接続されており、該制御パッケージが、各データトラフィック情報から各々のデータ輻輳の障害状態を検出する２つの障害検出部と、一方の障害検出部が、対応するＬ２スイッチの該障害状態を検出した時、対応する該設定部を設定変更して該低優先入力ポートを該出力ポートから該迂回用ポートに接続切替することにより、該低優先回線の上りデータを、該迂回用ポートから出力して該障害の無い回線パッケージの迂回用ポートに迂回させる通信部とを備えたことを特徴としている。
【００４０】
ここで、本発明（３）の原理（上りデータの廃棄抑制）を図３を参照して以下に説明する。
【００４１】
まず、その構成に関しては、優先順位のクラス付けされた高優先回線１ｕ_1H、１ｕ_2H及び低優先回線１ｕ_1L、１ｕ_2Lが、各回線パッケージ２のＬ２スイッチ１０ｕの上りＬＡＮ回線１ｕの高優先ポート１５ｕ_1、１５ｕ_2（以下、符号「１５ｕ」で総称することがある。）及び低優先ポート１６ｕ_1、１６ｕ_2（以下、符号「１６ｕ」で総称することがある。）にそれぞれ接続されており、各Ｌ２スイッチ１０ｕの出力ポート８ｕは、バックワイヤリングボード（ＢＷＢ）２０などを経由して制御パッケージ６の多重／分離部５の入力端子に接続されている。
【００４２】
また、各Ｌ２スイッチ１０ｕのトラフィック情報１７_1、１７_2（以下、符号「１７」で総称することがある。）の出力端子が２つの障害検出部１２の各入力端子に接続されている。
【００４３】
また、制御パッケージ６の多重／分離部５の出力端子は、上り上位回線４ｕに接続されており、各障害検出部１２の出力端子は、通信部１３の各入力端子に接続され、通信部１３の２つの出力端子は、各回線パッケージ２の各設定部１１の入力端子にそれぞれ接続され、さらに各設定部１１の出力端子は、各Ｌ２スイッチ１０ｕにそれぞれ接続されている。
【００４４】
また、各Ｌ２スイッチ１０ｕの迂回用ポート９同士が迂回ルート１８ｕにより接続されている。
【００４５】
上記の構成において、正常状態では、Ｌ２スイッチ１０ｕの各ポート間の相互接続を制御する各設定部１１は、各入力ポート１５ｕ、１６ｕのデータを各出力ポート８ｕに出力するように各Ｌ２スイッチ１０ｕを設定している。従って、各回線パッケージ２のＬ２スイッチ１０ｕは、その入力ポート１５ｕ、１６ｕから入って来た各上りＬＡＮ回線１ｕのデータを、設定部１１の設定情報に基づいて一次多重化して出力ポート８ｕに出力し、その一次多重化データ３は、ＢＷＢ２０で構成された伝送路を介して制御パッケージ６の多重／分離部５に転送され、ここで、二次多重化して上り上位回線４ｕに送出されるようになっている。
【００４６】
ここで、上りＬＡＮ回線１ｕ_1のトラフィックが輻輳すると、Ｌ２スイッチ１０ｕ_1がそのトラフィック情報１７_1を制御パッケージ６の障害検出部１２_1に送出する。障害検出部１２_1は、そのデータ輻輳状態を検出して通信部１３に通知し、通信部１３は回線パッケージ２_１の設定部１１_1に対して設定変更を行う。Ｌ２スイッチ１０ｕ_1は、その設定変更に基づいて低優先ポート１６ｕ_1に入って来た低優先回線１ｕ_1Lのデータを、出力ポート８ｕ_1から迂回用ポート９_１に出力切替を行うので、低優先回線１ｕ_1Lのデータは、迂回ルート１８ｕを経由して回線パッケージ２_2の迂回用ポート９_2へ迂回するようになる。
【００４７】
迂回用ポート９_2に迂回されたデータは、Ｌ２スイッチ１０ｕ_2の入力ポート１５ｕ_2のデータと一緒に一次多重化されて出力ポート８ｕ_2から制御パッケージ６の多重／分離部５に転送され、多重／分離部５は、さらに二次多重化して上り上位回線４ｕに送出する。
【００４８】
従って、回線パッケージ２_1の上りＬＡＮ回線１ｕ_1のトラフィックが輻輳状態になった場合には、迂回用ポート９を介して回線パッケージ２_2が救済パッケージとなるので、大容量のバッファを設けたり、収容回線数を削減したりせずに上りＬＡＮ回線１ｕ_1中の特に低優先回線データの廃棄を抑制することができる。
【００４９】
また、回線パッケージ２_2の上りＬＡＮ回線１ｕ_2のトラフィックが輻輳状態になった場合でも、同様にして回線パッケージ２_１が救済パッケージとなるので、この場合も特に低優先回線データの廃棄を抑制することができる。
【００５０】
また、上記のように、互いに接続された迂回用ポート９は双方向に機能するので、その迂回用ポート９で接続された各回線パッケージ２は、固定した一つの回線パッケージのみをデータ廃棄を抑制するのではなく、相互抑制が可能である。
【００５１】
また、各回線パッケージ２のＬ２スイッチ１０ｕは、設定部１１の設定に基づき、迂回用ポート９から入力されて来た上りデータを、優先順位のクラス付けされた上りＬＡＮ回線１ｕの入力ポート１５ｕ、１６ｕの上りデータと一緒に、該一次多重化して制御パッケージ６に出力することができる。
【００５２】
さらに、上記の課題を解決するため、本発明（４）に係るパケット通信装置は、下り上位回線のデータを、正常時と障害時の宛先を予め記憶している回送テーブルによって指定された２つの方路に一次分離する多重／分離部と、各方路の該一次分離データを各々がバッファリングして送出する２つの障害検出部を有する制御パッケージと、各一次分離データをそれぞれ更に二次分離データに分離して、優先順位のクラス付けされた複数の下りＬＡＮ回線に送信する２つの回線パッケージとを備え、各回線パッケージが、該下りＬＡＮ回線の高優先出力ポートと低優先出力ポートと該一次分離データの入力ポートと迂回用ポートとを有するＬ２スイッチ、及び該Ｌ２スイッチの各ポート相互接続の切替を制御する設定部を備え、各迂回用ポート同士が接続されており、該制御パッケージが、一方の障害検出部で該バッファリングオーバーフローによるデータ輻輳の障害状態を検出した時、対応する該設定部を設定変更して該低優先出力ポートを該入力ポートから該迂回用ポートに接続切替えすると共に、該回送テーブルを該障害時の宛先に切り替えて該一次分離データを該障害の無い回線パッケージに迂回させる通信部をさらに備え、該障害の無い回線パッケージのＬ２スイッチが、該設定部の設定に基づき、該迂回されて来た一次分離データを該迂回用ポートから出力して該障害に対応した回線パッケージの迂回用ポートに迂回させることを特徴としている。
【００５３】
ここで、本発明（４）の原理（下りデータの廃棄抑制）を図４を参照して以下に説明する。
【００５４】
まず、構成に関しては、下り上位回線４ｄは、制御パッケージ６の多重／分離部５の入力端子に接続され、その２つの出力端子は、各障害検出部１２の入力端子に接続されており、さらにその各障害検出部１２の一次分離データの出力端子は、バックワイヤリングボード（ＢＷＢ）２０などを経由して各回線パッケージ２の一次分離データ１５_1、１５_2の入力ポート８ｄ_1、８ｄ_2に接続されている。
【００５５】
また、各障害検出部１２の障害情報出力端子は通信部１３の入力端子にそれぞれ接続され、その通信部１３は回送テーブル１４を制御可能に接続されている。
【００５６】
また、その通信部１３は、各回線パッケージ２の設定部１１と双方向通信可能にそれぞれ接続されている。各設定部１１の出力端子はＬ２スイッチ１０ｄにそれぞれ接続されており、Ｌ２スイッチ１０ｄの下りＬＡＮ回線１ｄの高優先ポート１５ｄ_1、１５ｄ_2（以下、符号「１５ｄ」で総称することがある。）及び低優先ポート１６ｄ_1、１６ｄ_2（以下、符号「１６ｄ」で総称することがある。）には、優先順位のクラス付けされた高優先回線１ｄ_1H、１ｄ_2H及び低優先回線１ｄ_1L、１ｄ_2Lが、それぞれ接続されている。
【００５７】
また、各Ｌ２スイッチ１０ｄの迂回用ポート９_1、９_2同士が迂回ルート１８ｄにより接続されている。
【００５８】
上記の構成において、制御パッケージ６の回送テーブル１４は、下り上位回線４ｄのデータの宛先を示すもので、予め正常時と障害時の２つの宛先を記憶しており、正常状態では、通信部１３によって正常時の宛先側に切り替えられている。
【００５９】
障害検出部１２は、多重／分離部５からのデータを内蔵するバッファ（図示せず）にバッファリングしながら回線パッケージに転送すると共に、そのバッファの空きが少なくなるとトラフィック輻輳情報を通信部１３に出力するようになっている。
【００６０】
すなわち、多重／分離部５が、下り上位回線４ｄのデータを回送テーブル１４が示す宛先に対応した２つの回線パッケージ２向けに一次分離して障害検出部１２のバッファに転送し、障害検出部１２は、そのバッファから一次分離データ１５を読み出して回線パッケージ２に転送すると共にそのバッファの空き状態を監視している。
【００６１】
一方、各回線パッケージ２のＬ２スイッチ１０ｄの各ポート間の相互接続を制御する各設定部１１は、正常状態では、各出力ポート１５ｄが入力ポート８ｄからのデータを出力するようにＬ２スイッチ１０ｄを設定しており、それを受信したＬ２スイッチ１０ｄは、設定部１１の設定情報に基づいてその一次分離データ１５をさらに二次分離して各出力ポート１５ｄ、１６ｄから優先順位のクラス付けされた各下りＬＡＮ回線１ｄに送出する。
【００６２】
ここで、障害検出部１２_1のバッファの空きが所定値以下になると、障害検出部１２_1はトラフィック輻輳情報を通信部１３に出力し、通信部１３は設定部１１_1に対してＬ２スイッチ１１_1の設定情報の変更を指示する。
【００６３】
その指示を受けた設定部１１_1は、Ｌ２スイッチ１０ｄ_1に対し、出力ポート１６ｄ_1が入力ポート８ｄ_1からのデータではなく、迂回用ポート９_1から入力されたデータを出力するように設定情報を変更すると共に、制御パッケージ６の通信部１３にその切替えを行ったことを通知する。
【００６４】
通信部１３は、その通知を受けると回送テーブル１４の宛先を正常時から障害時の宛先に切替えると共に、回線パッケージ２_2の設定部１１_2に対しても設定情報の変更指示を出す。
【００６５】
多重／分離部５は、その障害時の宛先に対応した回線パッケージ2_2に向けて一次分離データ１５_1を迂回転送し、設定部１１_2は、その設定情報の変更をＬ２スイッチ１０ｄ_2に行い、Ｌ２スイッチ１０ｄ_2は、入力ポート８ｄ_2に一次分離データ１５_2として迂回されて来た一次分離データ１５_1をさらに二次分離して迂回用ポート９_2に出力する。
【００６６】
迂回用ポート９_2から出力された二次分離データは、迂回ルート１８ｄを介して回線パッケージ２_1の迂回用ポート９_1に迂回し、回線パッケージ２_1の既に設定変更されているＬ２スイッチ１０ｄ_1によって下りＬＡＮ回線の低優先回線１ｄ_１Lに送出される。
【００６７】
従って、回線パッケージ２_1の一次分離データ１５_1が輻輳状態になった場合には、迂回用ポート９_1を介して回線パッケージ２_2が救済パッケージとなり、トラフィックが平滑化されるので、大容量バッファを設けたり、収容回線数を削減したりせずに下りＬＡＮ回線１ｄ_1のデータ廃棄を抑制することができる。
【００６８】
また、回線パッケージ２_2の一次分離データ１５_2が輻輳状態になった場合でも、同様にして回線パッケージ２_１が救済パッケージとなるので、この場合も、大容量バッファを設けたり、収容回線数を削減したりせずに下りＬＡＮ回線１ｄ_2のデータ廃棄を抑制することができる。
【００６９】
また、上記のように、互いに接続された迂回用ポート９は双方向に機能するので、その迂回用ポート９で接続された各回線パッケージ２は、固定した一つの回線パッケージのみをデータ廃棄を抑制するのではなく、相互抑制が可能である。
【００７０】
また、各回線パッケージ２のＬ２スイッチ１０ｄは、設定部１１の設定に基づき、該迂回されて来た一次分離データを、優先順位のクラス付けされた下りＬＡＮ回線１ｄ向けデータと迂回データに二次分離して該迂回データを迂回用ポート９に出力することができる。
【００７１】
また、迂回用ポート９同士は、ケーブル、又はバックワイヤリングボードの配線パターンで接続することができる。
【００７２】
また、各迂回用ポート９は、各Ｌ２スイッチ１０ｕ、１０ｄの空きポートを使用することができる。
【発明の効果】
【００７３】
本発明に係るパケット通信装置では、各回線パッケージがＬ２スイッチの空きポートを使用した迂回用ポートを備え、その迂回用ポートを双方向に接続する迂回ルートを備えているので、各回線パッケージが相互救済できることになり、固定した予備回線パッケージを必要とせずに救済できるという利点がある。
【００７４】
また、迂回用ポート同士を接続する迂回ルートは、バックワイヤリングボード（ＢＷＢ）の配線パターンやケーブルなどで構成でき、リレーなどの切替回路が不要であるという利点がある。
【００７５】
その結果、従来の予備回線パッケージや切替回路の実装スペースが不要となり、その分、多くの回線パッケージを実装できるので、収容ＬＡＮ回線数当たりの容積が少なくなり、装置の小型化・経済化が容易になるとういう利点がある。
【００７６】
また、本発明のパケット通信装置は、回線パッケージのトラフィックを常時監視し、ダイナミック又はフレキシブルにルートを変更するので、トラフィックの平滑化によりデータ廃棄が抑制されるという利点がある。
【００７７】
また、制御パッケージにて各回線パッケージのトラフィックを常に監視し、輻輳状態時にトラフィックの少ない回線パッケージにＬＡＮ回線を切り替え、輻輳状態から回復した時は、元の状態に戻すことをダイナミックに行うことで、輻輳によるデータ廃棄のない無停止通信を実現できる。
【００７８】
同様に制御パッケージが、各ＬＡＮ回線の優先順位を考慮して迂回ルートの設定を行えば、COS(Class of Service)を装置の機能として提供できる。
【００７９】
さらに、本発明によれば、表１に示すように、迂回ルート数の２倍の回線パッケージを救済できるので、より効率的に品質保証を高めるという利点がある。（なお、表１は回線パッケージ当たり４回線のＬＡＮ回線を収容した場合を示したものである。）
【表１】
2006186924.tif 000003
【発明を実施するための最良の形態】
【００８０】
以下、図１〜図４に示した本発明の原理図にそれぞれ対応する実施例（１）〜（４）を図５〜図８を参照して説明する。
【００８１】
実施例（１）：図５（上りデータの救済）
図５は、本発明（１）に係るパケット通信装置の実施例を示す。まず、各回線パッケージ２では、複数の上りＬＡＮ回線１ｕがＬ２スイッチ１０ｕの入力ポート７ｕにそれぞれ接続されており、そのＬ２スイッチ１０ｕの出力ポート８ｕが、ＢＷＢ（バックワイヤリングボード）２０の配線パターンで制御パッケージ６の多重／分離部５の入力端子と障害検出部１２の入力端子にそれぞれ接続され、各設定部１１の出力端子が各Ｌ２スイッチ１０ｕにそれぞれ接続されている。
【００８２】
一方、制御パッケージ６では、多重／分離部５の出力端子が上り上位回線４ｕに接続されており、２つの障害検出部１２の各出力端子が通信部１３の入力端子にそれぞれ接続され、その通信部１３の２つの出力端子が、各回線パッケージ２の設定部１１の入力端子にそれぞれ接続されている。
【００８３】
また、各Ｌ２スイッチ１０ｕの迂回用ポート９同士がＢＷＢ２０上の配線パターンで構成された迂回バス１９で接続されている。
【００８４】
このような構成において、正常状態では、制御パッケージ６が通信部１３を介して各設定部１１に初期設定を行い、Ｌ２スイッチ１０ｕは、各入力ポート７ｕのデータを各出力ポート８ｕに出力するようになると共に迂回用ポート９はＢＷＢ２０上において電気的にオ-プン状態（非アクティブ状態）になっている。
【００８５】
従って、正常状態では、各回線パッケージ２のＬ２スイッチ１０ｕが、その入力ポート７ｕからの各上りＬＡＮ回線１ｕのデータを、設定部１１の設定情報に基づいて一次多重化して出力ポート８ｕに出力するので、その一次多重化データ３は、ＢＷＢ２０を介して制御パッケージ６の多重／分離部５に転送され、それを多重／分離部５が、さらに二次多重化して上り上位回線（例えば、ＷＡＮ）に送出する。
【００８６】
ここで、何らかの原因で回線パッケージ２_１の一次多重化データ３_1が断たれると（図中×印で示す。）、制御パッケージ６の障害検出部１２_1がその断状態を検出して通信部１３に通知し、通信部１３は、各回線パッケージ２の通信状態（トラフィック量）から救済先に最適な回線パッケージを選定し（図５では、回線パッケージ２_2が最適であったとする。）、その回線パッケージ２_2の設定部１１_2に設定変更をしてＬ２スイッチ１０ｕ_2の迂回用ポート９_2をアクティブ状態にする。また、設定部１１_1にも設定変更を行い、Ｌ２スイッチ１０ｕ_1の入力ポート７ｕ_1に入ったデータを、出力ポート８ｕ_1から迂回用ポート９_１に出力するように切り替えると共に迂回用ポート９_1をアクティブ状態にする。
【００８７】
従って、回線パッケージ２_1の上りＬＡＮ回線１ｕ_1のデータは、迂回用ポート９_1から出力されて迂回バス１９を介して回線パッケージ２_2の迂回用ポート９_2に入力され、Ｌ２スイッチ１０ｕ_2の入力ポート７ｕ_2のデータと一緒に一次多重化されて出力ポート８ｕ_2から制御パッケージ６の多重／分離部５に転送され、それを多重／分離部５が、さらに二次多重化して上り上位回線４ｕに送信する。
【００８８】
このように、一次多重化データ３_１の経路障害により遮断された回線パッケージ2_１の上りＬＡＮ回線のデータは、瞬時に回線パッケージ２間の迂回バスを介して障害のない経路を持つ回線パッケージ２_2を迂回して、上り上位回線４ｕに送信されることになる。
【００８９】
また、回線パッケージ２_2の一次多重データ３_2が上記のような障害に遭遇した場合にも、同様にして回線パッケージ２_１が救済パッケージとなって迂回させる。
【００９０】
すなわち、回線パッケージ２に搭載したＬ２スイッチ１０ｕの空きポートを迂回用ポート９として用いると共にその迂回用ポート同士を迂回バス１９で接続することにより、予備回線パッケージを用いずに上りＬＡＮ回線１ｕのデータを瞬時に救済することができる。
【００９１】
また、互いに接続された迂回用ポート９は、上記のように双方向に機能するので、その迂回用ポート９で接続された各回線パッケージ２は、従来の予備回線パッケージのように、固定した一つの回線パッケージのみを救済するのではなく、相互救済が可能である。
【００９２】
また、各回線パッケージ２のＬ２スイッチ１０ｕは、設定部１１の設定に基づき、迂回用ポート９から入力されて来た上りデータを、上りＬＡＮ回線１ｕの入力ポート７ｕへの該上りデータと一緒に、該一次多重化して該制御パッケージ６に出力することができる。
【００９３】
実施例（２）：図６（下りデータの救済）
図６は、本発明（２）に係るパケット通信装置の実施例を示す。まず、下り上位回線４ｄが制御パッケージ６の多重／分離部５の入力端子に接続され、その２つの出力は、ＢＷＢ２０の配線で各回線パッケージ２のＬ２スイッチ１０ｄの入力ポート８ｄ_1、８ｄ_2と障害検出部１６_1、１６_2の入力端子にそれぞれ接続されており、通信部１３の出力が回送テーブル１４の入力端子と接続されている。
【００９４】
各回線パッケージ２の障害検出部１６の出力端子が、設定部１１の入力端子にそれぞれ接続されていると共にその入出力端子は、制御パッケージの通信部１３の２つの入出力端子とＢＷＢ２０の配線で（図中、双方矢印付き破線で示す。）各々が接続され、残りの各出力端子がＬ２スイッチ１０ｄにそれぞれ接続されており、さらにそのＬ２スイッチ１０ｄの各出力ポート７ｄ_1、７ｄ_2が、下りＬＡＮ回線１ｄ_1、１ｄ_2にそれぞれ接続されている。
【００９５】
また、各Ｌ２スイッチ１０ｄの迂回用ポート９同士がＢＷＢ２０上の配線パターンで構成された迂回バス１９で接続されている。
【００９６】
このような構成において、制御パッケージ６の回送テーブル１４は、下り上位回線４ｄのデータの宛先（アドレス）を示すもので、予め正常時と障害時のアドレスを記憶しており、正常状態では、通信部がその正常時のアドレスに切り替えておく。
【００９７】
また、各回線パッケージ２の設定部１１は、正常状態では、出力ポート７ｄが入力ポート８ｄからのデータを出力するように各Ｌ２スイッチ１０ｄを設定しており、さらに迂回用ポート９をＢＷＢ２０上において電気的にオ-プン状態（非アクティブ状態）に設定している。
【００９８】
従って、多重／分離部５は、下り上位回線４ｄのデータを回送テーブル１４が示すアドレスの回線パッケージ２に一次分離して転送し、それを受信した各回線パッケージ２では、Ｌ２スイッチ１０ｄが、設定部１１の設定情報に基づいてその一次分離データ１５をさらに二次分離して各出力ポート７ｄの各下りＬＡＮ回線１ｄに送信する。
【００９９】
ここで、何らかの原因により一次分離データ１５_1が断たれると（図中×印で示す。）、回線パッケージ２_1の障害検出部１６_1は、その断状態を検出して設定部１１_1に通知し、設定部１１_1は、Ｌ２スイッチ１０ｄ_1の出力ポート７ｄ_1が入力ポート８ｄ_1のデータを出力していた設定を、迂回用ポート９_1から入力されたデータを出力するように切り替えると共にその迂回用ポート９_1をアクティブ状態に設定し、さらに制御パッケージ６の通信部１３にその切替完了を通知する。
【０１００】
その切替完了通知を受けた通信部は、各回線パッケージの通信状態（トラフィック量）から救済先に最適な回線パッケージを選定し（この例では回線パッケージ２_2が最適であったとする。）、その救済に係る回線パッケージ２_2のアドレスを、回送テーブル１４が予め記憶している正常時から障害時のアドレスに切り替えると共に、その回線パッケージ２_2の設定部１１_2に対しても、迂回用ポート９_2をアクティブ状態にするために設定変更を指示する。
【０１０１】
従って、多重／分離部５は、その障害時のアドレスの回線パッケージ２_2に向けて一次分離データを迂回転送し、Ｌ２スイッチ１０ｄ_2は、入力ポート８ｄ_2に迂回されてきた一次分離データ１５_2を、設定部１１_2の設定情報に基づいてさらに二次分離して迂回用ポート９_2に出力する。
【０１０２】
このようにして迂回用ポート９_2から出力された二次分離データは、回線パッケージ２_1の迂回用ポート９_1に迂回し、回線パッケージ２_1の既に設定変更されているＬ２スイッチ１０ｄ_1によって下りＬＡＮ回線１ｄ_1に送信される。
【０１０３】
従って、経路障害により遮断された回線パッケージ２_1の一次分離データ１５_1は、瞬時に、回線パッケージ２間の迂回バス１９を介して障害のない経路を持つ回線パッケージ２_2を迂回して、下りＬＡＮ回線１ｄ_1に送信されることになる。
【０１０４】
また、回線パッケージ２_2の一次分離データ１５_2が上記のような障害に遭遇した場合にも、同様にして回線パッケージ２_１が救済パッケージとなって迂回させる。
【０１０５】
従って、回線パッケージ２に搭載したＬ２スイッチ１０ｄの空きポートを迂回用ポート９として用いると共にその迂回用ポート同士を迂回バス１９で接続することにより、予備回線パッケージを用いずに下りＬＡＮ回線１ｄのデータを瞬時に救済することができる。
【０１０６】
また、互いに接続された迂回用ポート９は、上記のように双方向に機能するので、その迂回用ポート９で接続された各回線パッケージ２は、従来の予備回線パッケージのように、固定した一つの回線パッケージのみを救済するのではなく、相互救済が可能である。
【０１０７】
また、各回線パッケージ２のＬ２スイッチ１０ｄは、設定部１１の設定に基づき、該迂回されて来た一次分離データを、下りＬＡＮ回線１ｄの出力ポート７ｄ向けデータと迂回データとに二次分離して該迂回データを迂回用ポート９に出力することができる。
【０１０８】
実施例（３）：図７（上りデータの廃棄抑制）
図７は、本発明（３）に係るパケット通信装置の実施例を示す。まず、優先順位のクラス付けされた高優先回線１ｕ_1H、１ｕ_2H及び低優先回線１ｕ_1L、１ｕ_2Lが、各回線パッケージ２のＬ２スイッチ１０ｕの上りＬＡＮ回線の入力ポート１５ｕ_1、１５ｕ_2及び１６ｕ_1、１６ｕ_2にそれぞれ接続されており、各Ｌ２スイッチ１０ｕの出力ポート８ｕは、ＢＷＢ２０を経由して制御パッケージ６の多重／分離部５の入力端子にそれぞれが接続されている。
【０１０９】
また、各Ｌ２スイッチ１０ｕのトラフィック情報１７_1、１７_2の出力端子が、各障害検出部１２の入力端子にそれぞれ接続されている。
【０１１０】
また、制御パッケージ６の多重／分離部５の出力端子が上り上位回線４ｕに接続され、各障害検出部１２の出力端子が通信部１３の入力端子に、その通信部１３の２つの出力端子が各回線パッケージ２の各設定部１１の入力端子にそれぞれが接続（図中、破線で示す。）されており、その各設定部１１の出力端子は、各Ｌ２スイッチ１０ｕにそれぞれ接続されている。
【０１１１】
また、各Ｌ２スイッチ１０ｕの迂回用ポート９同士が、ＢＷＢ２０上の配線パターンで構成された迂回バス１９で接続されている。
【０１１２】
上記の構成において、正常状態では、Ｌ２スイッチ１０ｕの各設定部１１が、各入力ポート１５ｕ、１６ｕのデータを各出力ポート８ｕに出力するように各Ｌ２スイッチ１０ｕを設定しており、さらに迂回用ポート９をＢＷＢ２０において電気的にオ-プン状態（非アクティブ状態）に設定している。
【０１１３】
従って、各回線パッケージ２のＬ２スイッチ１０ｕは、その入力ポート１５ｕ、１６ｕからの各上りＬＡＮ回線１ｕのデータを、設定部の設定情報に基づいて一次多重化して出力ポート８ｕに出力し、その一次多重化データ３は、ＢＷＢ２０の配線を通して制御パッケージ６の多重／分離部５に転送されており、時々刻々と変化する各Ｌ２スイッチ１０ｕのトラフィック状態を示すトラフィック情報１７は、制御パッケージ６の障害検出部１２に送出されている。
【０１１４】
このような状態において、上りＬＡＮ回線１ｕ_1のトラフィックが輻輳すると、障害検出部１２_1がそのデータ輻輳状態を検出して通信部１３に通知し、通信部１３は、各回線パッケージ２の通信状態（トラフィック量）から迂回先に最適な回線パッケージを選定し（図７では、回線パッケージ２_2が最適であったとする。）、その回線パッケージ２_2の設定部１１_2に設定変更をしてＬ２スイッチ１０ｕ_2の迂回用ポート９_2をアクティブ状態にする。また、設定部１１_1にも設定変更を行い、Ｌ２スイッチ１０ｕ_1が、入力ポート１６ｕ_1の低優先回線１ｕ_1Lのデータを、出力ポート８ｕ_1から迂回用ポート９_１に出力するように切り替えると共にその迂回用ポート９_1をアクティブ状態にする。
【０１１５】
このようにして、迂回用ポート９_１に出力された低優先回線１ｕ_1Lのデータは、ＢＷＢ２０の迂回バスを通って、回線パッケージ２_2の迂回用ポート９_2に迂回させられる。
【０１１６】
回線パッケージ２_2のＬ２スイッチ１０ｕ_2は、その迂回用ポート９_2に迂回して来たデータを入力ポート１５ｕ_2のデータと一緒に一次多重化し、その一次多重化データ３_2を出力ポート８ｕ_2から制御パッケージ６の多重／分離部５に転送し、その多重／分離部５が、さらに二次多重化して上り上位回線４ｕに送信する。
【０１１７】
このように、回線パッケージ２_1の上りＬＡＮ回線１ｕ_1のトラフィックが輻輳状態になった場合には、低優先回線１ｕ_1Lのデータが迂回用ポート９を介して帯域に余裕のある回線パッケージ２_2に迂回してトラフィックが平滑化するので、大容量のバッファを備えたり、収容回線数を削減したりせずに上りＬＡＮ回線１ｕ_1のデータ廃棄を抑制することができる。
【０１１８】
また、回線パッケージ２_2の上りＬＡＮ回線１ｕ_1のトラフィックが輻輳状態になった場合でも、同様にして回線パッケージ２_１が迂回先パッケージとなり、トラフィックが平滑化するので、大容量のバッファを備えたり、収容回線数を削減したりせずに上りＬＡＮ回線１ｕ_2のデータ廃棄を抑制することができる。
【０１１９】
また、上記の様に、互いに接続された迂回用ポート９は双方向に機能するので、その迂回用ポート９で接続された各回線パッケージ２は、固定した一つの回線パッケージのみならず、相互のデータ廃棄を抑制することが可能である。
【０１２０】
また、各回線パッケージ２の通信状態（トラフィック量）から迂回先に最適な回線パッケージを選定するので、回線パッケージの迂回先を、その時の通信状況に合わせたトラフィック平滑化の最適化ができる。
【０１２１】
また、各回線パッケージ２のＬ２スイッチ１０ｕは、設定部１１の設定に基づき、迂回用ポート９から入力されて来た上りデータを、優先順位のクラス付けされた上りＬＡＮ回線１ｕの入力ポート１５ｕ、１６ｕからの上りデータと一緒に、該一次多重化して該制御パッケージ６に出力することができる。
【０１２２】
実施例（４）：図８（下りデータの廃棄抑制）
図８は、本発明（４）に係るパケット通信装置の実施例を示す。まず、下り上位回線４ｄが制御パッケージ６の多重／分離部５の入力端子に接続され、その２つの出力端子は各障害検出部としての送信バッファ１２の入力端子に接続されており、さらにその各障害検出部としての送信バッファ１２の一次分離データの出力端子が、ＢＷＢ２０を経由して各回線パッケージ２の各Ｌ２スイッチ１０ｄの入力ポート８ｄ_1、８ｄ_2にそれぞれが接続されている。
【０１２３】
また、各障害検出部１２の出力端子から通信部１３の入力端子にそれぞれ接続され、その通信部１３の出力端子の一つは回送テーブル１４の入力端子に接続されている。
【０１２４】
また、その通信部１３の残りの入出力端子２つは、ＢＷＢ２０の配線で各回線パッケージ２の設定部１１の入出力端子にそれぞれ接続され、その各設定部１１の出力端子がＬ２スイッチ１０ｄにそれぞれ接続されている。そのＬ２スイッチ１０ｄの下りＬＡＮ回線の出力ポート１５ｄ_1、１５ｄ_2と１６ｄ_1、１６ｄ_2には、優先順位のクラス付けされた高優先回線１ｄ_1H、１ｄ_2Hと低優先回線１ｄ_1L、１ｄ_2Lが、それぞれ接続されている。
【０１２５】
また、各Ｌ２スイッチ１０ｄの迂回用ポート９_1、９_2同士が、ＢＷＢ２０上の配線パターンで構成された迂回バス１９で接続されている。
【０１２６】
上記の構成において、制御パッケージ６の回送テーブル１４は、下り上位回線４ｄのデータの宛先であるアドレスを、予め正常時と障害時のものを記憶しており、正常状態では通信部がその正常時のアドレスを示すように切り替えておく。
【０１２７】
従って、正常状態では、多重／分離部５は、回送テーブル１４が示すアドレスの回線パッケージ２毎に下り上位回線４ｄのデータを振り分けて、すなわち一次分離して対応する障害検出部としての送信バッファ１２に送出し、各障害検出部１２は、それをバッファリングして回線パッケージ２に転送すると共にその送信バッファ１２の空き状態を監視しており、そのバッファの空きが所定の値より少なくなった時、トラフィック輻輳の警報を通信部１３に出力する。
【０１２８】
一方、正常状態での各回線パッケージ２の設定部１１は、各出力ポート１５ｄ、１６ｄが、入力ポート８ｄからのデータを出力するようにＬ２スイッチ１０ｄを設定しており、さらに迂回用ポート９をＢＷＢ２０上において電気的にオ-プン状態（非アクティブ状態）に設定している。
【０１２９】
従って、Ｌ２スイッチ１０ｄは、設定部１１の設定情報に基づいてその一次分離データ１５をさらに二次分離して各出力ポート１５ｄ、１６ｄから優先順位のクラス付けされた各下りＬＡＮ回線１ｄに送信するようになっている。
【０１３０】
このように動作している時、回線パッケージ２_1宛てのトラフィックが増えてそのバッファの空きが所定値以下になると、障害検出部としての送信バッファ１２_1はトラフィック輻輳の警報を通信部１３に出力し、通信部１３は、各回線パッケージ２の通信状態（トラフィック量）から迂回先に最適な回線パッケージを選定し（図８では、回線パッケージ２_2が最適であったとする。）、その迂回先に係る回線パッケージ２_2のアドレスを、回送テーブル１４が予め記憶している正常時から障害時のアドレスに切り替えると共に、回線パッケージ２_2の設定部１１_2に対しても、迂回用ポート９_2をアクティブ状態にするために設定変更を指示する。
【０１３１】
また、通信部１３は設定部１１_1にも設定変更を行い、Ｌ２スイッチ１０ｄ_1が、出力ポート１６ｄ_1の低優先回線１ｄ_1Lのデータを、入力ポート８ｄ_1から迂回用ポート９_１に切り替えると共にその迂回用ポート９_1をアクティブ状態にする。
【０１３２】
多重／分離部５は、その障害時のアドレスに対応した回線パッケージ２_2に向けて一次分離データを迂回転送し、設定変更を指示された設定部１１_2は、Ｌ２スイッチ１０ｄ_2の設定変更を行い、Ｌ２スイッチ１０ｄ_2は、入力ポート８ｄ_2に迂回されてきた一次分離データ１５_2をさらに二次分離して迂回用ポート９_2に出力する。
【０１３３】
迂回用ポート９_2から出力された二次分離データは、回線パッケージ２_1の迂回用ポート９_1に迂回し、回線パッケージ２_1のすでに設定変更されているＬ２スイッチ１０ｄ_1によって下りＬＡＮ回線に送信される。
【０１３４】
従って、回線パッケージ２_1の一次分離データ１５_1が輻輳状態になった場合には、低優先回線のデータが迂回用ポート９_1を介して輻輳状態に無い回線パッケージ２_2に迂回することによってトラフィックが平滑化されるので、大容量バッファを備えたり、収容回線数を削減したりせずに下りＬＡＮ回線１ｄ_1のデータ廃棄を抑制することができる。
【０１３５】
また、回線パッケージ２_2の一次分離データ１５_2が輻輳状態になった場合でも、同様にして回線パッケージ２_１が救済パッケージとなるので、この場合も、大容量バッファを備えたり、収容回線数を削減したりせずに下りＬＡＮ回線１ｄ_2のデータ廃棄を抑制することができる。
【０１３６】
また、上記のように、互いに接続された迂回用ポート９は双方向に機能するので、その迂回用ポート９で接続された各回線パッケージ２は、固定した一つの回線パッケージのみをデータ廃棄を抑制するのではなく、相互抑制が可能である。
【０１３７】
また、各回線パッケージ２のＬ２スイッチ１０ｄは、設定部１１の設定に基づき、該迂回されて来た一次分離データを、下りＬＡＮ回線１ｄの出力ポート１５ｄ、１６ｄ向けデータと迂回データとに二次分離して該迂回データを迂回用ポート９に出力することができる。
【０１３８】
また、迂回用ポートはＬ２スイッチ１０ｄの空きポートを利用することにより、更なる小型化、経済化が可能となる。
【０１３９】
（付記１）
各々が複数の上りＬＡＮ回線を収容すると共に、該上りＬＡＮ回線のデータを一次多重化して出力する２つの回線パッケージと、
各回線パッケージの該一次多重化データを更に二次多重化して上り上位回線に送信する多重／分離部を有する制御パッケージとを備え、
各回線パッケージが、該上りＬＡＮ回線の入力ポート及び該一次多重化データの出力ポートに加えて迂回用ポートを有するＬ２スイッチ、及び該Ｌ２スイッチの各ポート相互接続の切替を制御する設定部を備え、各迂回用ポート同士が接続されており、
該制御パッケージが、各一次多重化データの断状態を各々検出する２つの障害検出部と、一方の障害検出部が該一次多重化データの断状態を検出した時、対応する回線パッケージの設定部を設定変更して該入力ポートを該出力ポートから該迂回用ポートに接続切替することにより、該データを該障害に対応した回線パッケージの迂回用ポートから出力して該障害の無い回線パッケージの迂回用ポートに迂回させる通信部とを備えたことを特徴としたパケット通信装置。
（付記２）
下り上位回線のデータを、正常時と障害時の宛先を予め記憶している回送テーブルによって指定された２つの方路に一次分離する多重／分離部を有する制御パッケージと、
該一次分離データをそれぞれ更に二次分離データに分離して複数の下りＬＡＮ回線に送信する２つの回線パッケージとを備え、
各回線パッケージが、該一次分離データの断状態を検出する障害検出部と、該一次分離データの入力ポート及び該下りＬＡＮ回線の出力ポートに加えて迂回用ポートを有するＬ２スイッチと、該Ｌ２スイッチの各ポート相互接続の切替を制御する設定部とを備え、各迂回用ポート同士が接続されており、一方の障害検出部が、その一次分離データの断状態を検出した時、対応する該設定部を設定変更して該出力ポートを該入力ポートから該迂回用ポートに接続切替すると共に、
該制御パッケージは、該設定部が設定変更した時、該回送テーブルを該障害時の宛先に切り替えて該一次分離データを該障害の無い回線パッケージに迂回させる通信部をさらに備え、
該障害の無い回線パッケージのＬ２スイッチが、該設定部の設定に基づき、該迂回されて来た一次分離データを該迂回用ポートから出力して該障害に対応した回線パッケージの迂回用ポートに迂回させることを特徴としたパケット通信装置。
（付記３）
各々が、優先順位のクラス付けされた複数の上りＬＡＮ回線を収容すると共に、該上りＬＡＮ回線のデータを一次多重化して出力する２つの回線パッケージと、
各回線パッケージの該一次多重化データを更に二次多重化して上り上位回線に送信する多重／分離部を有する制御パッケージとを備え、
各回線パッケージが、該上りＬＡＮ回線の高優先入力ポートと低優先入力ポートと該一次多重化データの出力ポートと迂回用ポートとを有すると共にデータトラフィック情報を出力するＬ２スイッチ、及び該Ｌ２スイッチの各ポート相互接続の切替を制御する設定部を備え、各迂回用ポート同士が接続されており、
該制御パッケージが、各データトラフィック情報から各々のデータ輻輳の障害状態を検出する２つの障害検出部と、一方の障害検出部が、対応するＬ２スイッチの該障害状態を検出した時、対応する該設定部を設定変更して該低優先入力ポートを該出力ポートから該迂回用ポートに接続切替することにより、該低優先回線の上りデータを、該迂回用ポートから出力して該障害の無い回線パッケージの迂回用ポートに迂回させる通信部とを備えたことを特徴としたパケット通信装置。
（付記４）
下り上位回線のデータを、正常時と障害時の宛先を予め記憶している回送テーブルによって指定された２つの方路に一次分離する多重／分離部と、各方路の該一次分離データを各々がバッファリングして送出する２つの障害検出部を有する制御パッケージと、
各一次分離データをそれぞれ更に二次分離データに分離して、優先順位のクラス付けされた複数の下りＬＡＮ回線に送信する２つの回線パッケージとを備え、
各回線パッケージが、該下りＬＡＮ回線の高優先出力ポートと低優先出力ポートと該一次分離データの入力ポートと迂回用ポートとを有するＬ２スイッチ、及び該Ｌ２スイッチの各ポート相互接続の切替を制御する設定部を備え、各迂回用ポート同士が接続されており、
該制御パッケージが、一方の障害検出部で該バッファリングのオーバーフローによるデータ輻輳の障害状態を検出した時、対応する該設定部を設定変更して該低優先出力ポートを該入力ポートから該迂回用ポートに接続切替えすると共に、該回送テーブルを該障害時の宛先に切り替えて該一次分離データを該障害の無い回線パッケージに迂回させる通信部をさらに備え、
該障害の無い回線パッケージのＬ２スイッチが、該設定部の設定に基づき、該迂回されて来た一次分離データを該迂回用ポートから出力して該障害に対応した回線パッケージの迂回用ポートに迂回させることを特徴としたパケット通信装置。
（付記５）付記１又は３において、
該障害の無い回線パッケージのＬ２スイッチは、該設定部の設定に基づき、該迂回用ポートから入力されて来た上りデータを、該回線パッケージの上りＬＡＮ回線の入力ポートへの該上りデータと一緒に、該一次多重化して該制御パッケージに出力することを特徴としたパケット通信装置。
（付記６）付記２又は４において、
該障害の無い回線パッケージのＬ２スイッチは、該設定部の設定に基づき、該迂回されて来た一次分離データを、該回線パッケージの下りＬＡＮ回線向けデータと迂回データとに二次分離して該迂回データを該迂回用ポートに出力することを特徴としたパケット通信装置。
（付記７）付記１乃至４のいずれかにおいて、
該迂回用ポート同士は、ケーブル、又はバックワイヤリングボードの配線パターンで接続されていることを特徴としたパケット通信装置。
（付記８）付記１乃至４のいずれかにおいて、
該迂回用ポートが、Ｌ２スイッチの空きポートを使用することができることを特徴としたパケット通信装置。
【図面の簡単な説明】
【０１４０】
【図１】本発明（１）に係るパケット通信装置の原理（上りデータの救済）を示すブロック図である。
【図２】本発明（２）に係るパケット通信装置の原理（下りデータの救済）を示すブロック図である。
【図３】本発明（３）に係るパケット通信装置の原理（上りデータの廃棄抑制）を示すブロック図である。
【図４】本発明（４）に係るパケット通信装置の原理（下りデータの廃棄抑制）を示すブロック図である。
【図５】本発明（１）に係るパケット通信装置の実施例（上りデータの救済）を示すブロック図である。
【図６】本発明（２）に係るパケット通信装置の実施例（下りデータの救済）を示すブロック図である。
【図７】本発明（３）に係るパケット通信装置の実施例（上りデータの廃棄抑制）を示すブロック図である。
【図８】本発明（４）に係るパケット通信装置の実施例（下りデータの廃棄抑制）を示すブロック図である。
【符号の説明】
【０１４１】
１ｕ_1、１ｕ_2  上りＬＡＮ回線
１ｄ_1、１ｄ_2  下りＬＡＮ回線
１ｕ_1H、１ｕ_2H、１ｄ_1H、１ｄ_2H  高優先回線
１ｕ_1L、１ｕ_2L、１ｄ_1L、１ｄ_2L  低優先回線
２、２_1、２_2  回線パッケージ
３_1、３_2  一次多重化データ
４ｕ  上り上位回線
４ｄ  下り上位回線
５  多重／分離部
６  制御パッケージ
７ｕ_1、７ｕ_2  上りＬＡＮ回線の入力ポート
７ｄ_1、７ｄ_2  下りＬＡＮ回線の出力ポート
８ｕ_1、８ｕ_2  一次多重化データの出力ポート
８ｄ_1、８ｄ_2  一次分離データの入力ポート
９_1、９_2  迂回用ポート
１０ｕ_1、１０ｕ_2、１０ｄ_1、１０ｄ_2  Ｌ２スイッチ
１１_1、１１_2  設定部
１２_1、１２_2  障害検出部
１３  通信部
１４  回送テーブル
１５_1、１５_2  一次分離データ
１５ｕ_1、１５ｕ_2、１５ｄ_1、１５ｄ_2  高優先ポート
１６ｕ_1、１６ｕ_2、１６ｄ_1、１６ｄ_2  低優先ポート
１７_1、１７_2  トラフィック情報
１８ｕ、１８ｄ  迂回ルート
１９  迂回バス
２０  バックワイヤリングボード（ＢＷＢ）
図中、同一符号は同一又は相当部分を示す。
【図１】
2006186924.tif 000004
【図２】
2006186924.tif 000005
【図３】
2006186924.tif 000006
【図４】
2006186924.tif 000007
【図５】
2006186924.tif 000008
【図６】
2006186924.tif 000009
【図７】
2006186924.tif 000010
【図８】
2006186924.tif 000011